(57)【特許請求の範囲】
【請求項１】
コピー機能、ファクシミリ機能、プリント機能を含む複合機能を備えている画像形成装置において、
画像情報が記載されている原稿を読み取る画像読取手段と；
シート材の片面のみに画像を形成する片面画像形成モードと、上記シート材の表面と裏面とに画像を形成する両面画像形成モードとの両モードで操作可能な画像形成手段と；
上記片面画像形成モードと、上記両面画像形成モードとのうちの１つのモードを選択するモード選択手段と；
両面画像形成モードが選択されている場合でも、ＦＡＸ受信原稿を片面画像形成モードで印字する印字制御手段と；
を有することを特徴とする画像形成装置。
【請求項２】
コピー機能、ファクシミリ機能、プリント機能を含む複合機能を備えている画像形成装置において、
画像情報が記載されている原稿を読み取る画像読取装置と；
シート材の片面のみに画像を形成する片面画像形成モードと、上記シート材の裏面にも画像を形成する両面画像形成モードとの両モードで操作可能な画像形成装置と；
上記片面画像形成モードと、上記両面画像形成モードとのうちの１つのモードを選択するモード選択手段と；
プリンタ機能使用時にのみ、上記両面画像形成モードで印字する印字制御手段と；
を有することを特徴とする画像形成装置。
【発明の詳細な説明】
【０００１】
【発明の属する技術分野】
本発明は、原稿読取装置にセットされている複数枚のシート材から、１枚のシート材を画像形成部へ分離給送し、この給送シート材に複写する画像形成装置に関する。
【０００２】
上記シート材は、たとえば複写機・プリンタ・印刷機・ファクシミリなどの事務機器、その他の各種のシート材使用機器において、機器に対して供給する転写紙・感光紙・感熱紙・静電記録紙・印刷紙・原稿・カード・封筒などの枚葉紙（カットシート）である。材質は、紙には限らない。
【０００３】
【従来の技術】
図６は、電子写真装置を用いた従来の画像形成装置において、原稿を受信する際に印字する動作と、プリンタとして印字する動作を示すフローチャートである。
【０００４】
まず、受信したデータが複数枚か否が、ＣＰＵによって判断され（Ｓ２０）、受信原稿が複数枚ある場合、ステップＳ２１に進み、受信原稿が複数枚ない場合は、ステップＳ３０に進む。
【０００５】
ユーザ設定によって、画像形成モードが両面印字モードに設定されているか否かが判定がされ（Ｓ２１）、両面印字モードに設定されていれば、ステップＳ２２に進み、両面印字モードに設定されていない場合は、ステップＳ３０に進む。
【０００６】
Ｓ２２では、両面記録モードに設定され、画像情報が１ページ分、ＲＡＭに蓄積される（Ｓ２３）と、記録モータが駆動され、記録紙の給紙を行う信号が、ＣＰＵから記録部に伝達され、シート材給送部から記録紙が搬送される。搬送された記録紙は、記録部の画像処理部によって、記録紙の先端と画像とが一致するように搬送制御される。
【０００７】
ＣＰＵのＲＡＭ部に蓄積された画像情報が記録部の画像処理部に伝達され、その信号に基づいて、レーザのＯＮ／ＯＦＦを制御することによって、ドット・パターンの画像が感光ドラム上に形成される（Ｓ２４）。感光ドラム上に形成された静電潜像は、記録部の画像処理部でトナーによって可視画像となる。感光ドラム上に形成された可視画像は、記録紙に転写され、記録紙に載っているだけの画像は、定着部によって熱及び圧力が加えられ、永久画像とされる。その後、ＣＰＵからの信号によって、表面に画像情報が記録されたシート材は、両面搬送部に搬送される（Ｓ２５）。
【０００８】
そして、次ページの画像情報がＲＡＭに蓄積され（Ｓ２６）、その後の印字動作は、上記の通りである。ただし、１ページ目と異なる点は、記録紙は両面搬送部でスイッチバックしてから、記録紙が反転されるので、１面目と２面目とでは、原稿の先端が逆転してしまう点である。つまり、２面目の先端が１面目の後端であるので、そのまま画像情報を印字すると、表裏で画像データが逆転する。このために、ステップＳ２７では、ＲＡＭに蓄積された画像データを反転させてから、画像情報を記録部の画像処理部に伝達し、この信号に基づいて、レーザのＯＮ／ＯＦＦを制御することによって、反転された画像データが感光ドラム上に形成される（Ｓ２８）。
【０００９】
その後、定着部によって熱及び圧力が加えられ、永久画像とされたシート材は、シート排紙部に排紙される。そして、次ページがある否かが判断され（Ｓ２９）、次ページがある場合は、ステップＳ２３に進み、再び画像情報がＲＡＭに蓄積され、次ページがない場合は、印字が終了される。
【００１０】
Ｓ２１において、片面印字モードであると判断されると、片面記録モードに設定され（Ｓ３０）、ステップＳ２０、Ｓ２１によって片面記録モードに設定された場合は、上記のように、画像情報はＲＡＭに蓄積され（Ｓ３１）、画像情報を、記録部の画像処理部に伝達し、その信号に基づいて、レーザのＯＮ／ＯＦＦを制御することによって、画像データが感光ドラム上に形成される（Ｓ３２）。
【００１１】
その後、定着部によって熱及び圧力が加えられ、永久画像とされたシート材は、シート排紙部に排紙され、次ページがあるか否かが判断され（Ｓ３３）、次ページがある場合は、ステップＳ３１に進み、再び画像情報がＲＡＭに蓄積され、次ページがない場合は、印字が終了される。
【００１２】
【発明が解決しようとする課題】
上記従来の画像形成装置で両面記録を行う場合、画像データの表面と裏面との方向を統一させるために、ＲＡＭに蓄積された画像データを反転させてから、画像情報を記録部の画像処理部に伝達しなければならない。
【００１３】
このため、受信原稿が複数枚あり両面印字する場合は、ＣＰＵに過大な負荷がかかるので、印字速度が極端に遅くなるという問題がある。
【００１４】
また、印字速度が遅くなるだけでなく、受信中に送信原稿を予約する機能を使うことができなく、印字に時間がかかるので、次の原稿をなかなか受信できないという問題がある。
【００１５】
上記問題を解決するためにＣＰＵを高速化し、ＲＡＭを大容量化するという対策が考えられるが、このようにすると、ＣＰＵ及びＲＡＭは部品単価が高いので、装置がコストアップするという問題が残る。
【００１６】
本発明は、ＦＡＸ機能使用時に、ＣＰＵの負荷を低減させることができ、プリンタ機能使用時に、パソコンの高速ＣＰＵまたはフォーマッタの高速ＣＰＵを使用することによって両面記録時の２面目の画像データを反転させて、両面記録が可能になり、また両面記録のスピードを向上させることができる画像形成装置を提供することを目的とするものである。
【００１７】
【課題を解決するための手段】
本発明は、コピー機能、ファクシミリ機能、プリント機能を含む複合機能を備えている画像形成装置において、画像情報が記載されている原稿を読み取る画像読取手段と、シート材の片面のみに画像を形成する片面画像形成モードと、上記シート材の表面と裏面とに画像を形成する両面画像形成モードとの両モードで操作可能な画像形成手段と、上記片面画像形成モードと、上記両面画像形成モードとのうちの１つのモードを選択するモード選択手段と、両面画像形成モードが選択されている場合でも、ＦＡＸ受信原稿を片面画像形成モードで印字する印字制御手段とを有する画像形成装置である。
【００１８】
【発明の実施の形態および実施例】
図２は、本発明の一実施例であるファクシミリ装置ＦＳ１の断面図である。
【００１９】
図３は、ファクシミリ装置ＦＳ１の斜視図である。
【００２０】
まず、ファクシミリ装置ＦＳ１の概略について説明する。
【００２１】
ファクシミリ装置ＦＳ１において、装置本体１０１と、原稿Ｓを複数枚積載することができる原稿載置台１０２と、原稿Ｓの画像情報を読取る画像読取部１０３と、レーザビームプリンタからなる記録装置本体１０４と、表示部・入力キー等によって構成される操作部１０５と、原稿搬送部１０６と、原稿押圧部１０７と、密着型イメージセンサ１０８と、原稿排紙トレイ１０９と、レーザスキャナ１１０と、画像形成部１１１と、カセット給紙部１１２と、装置本体１０１の上面カバーにシート材Ｐを複数枚積載することができるように構成された上部シート排紙部１１３と、カートリッジカバー１１４と、ＡＤＦ（オートドキュメントフィーダ）カバー１１５と、外原稿ガイド１１６と、原稿押え板１１７と、内原稿ガイド１１８と、レーザスキャナ１１０と記録装置本体１０４との仕切部１１９と、ファクシミリ装置の制御部１２０と、シート搬送部１２１と、フロントカバー１２２と、排紙カバー１２３と、レジスト搬送部１２４と、フロントカバーを兼ねることが可能なＭＰ（マルチペーパー）給紙部１２５と、両面搬送部１５０とを有する。
【００２２】
また、画像読取部１０３は、原稿載置台１０２上に積載した原稿Ｓを分離パッド１０６ａと圧接した分離ローラ１０６ｂによって、１枚ずつ分離し、押圧バネによって押圧された搬送コロ１０６ｃと圧接した搬送ローラ１０６ｄによって、外原稿ガイド１１６と内原稿ガイド１１８の一部とによって構成されているＵターン紙パスを搬送する。さらに、押圧バネによって押圧された給紙コロ１０６ｅと圧接した給紙ローラ１０６ｆ等で密着型イメージセンサ１０８に搬送し、原稿押圧部１０７によって原稿押え板１１７を変形させた弾性力によって、原稿Ｓを密着型イメージセンサ１０８に押圧し、密着させつつ、原稿Ｓの画像情報を読取った後に、原稿Ｓを押圧バネによって押圧された排紙コロ１０６ａと圧接した排紙ローラ１０６ｈによって、原稿排紙トレイ１０９に排出するようになっている。この間、原稿Ｓは、外原稿ガイド１１６と内原稿ガイド１１８とによってガイドされる。
【００２３】
原稿載置台１０２には、原稿Ｓの搬送方向と直角方向（原稿Ｓの幅方向）にスライド可能なスライダ１０２ａが設けられ、上記スライダ１０２ａによって原稿載置台１０２上に積載されている原稿Ｓの両サイドを揃えることが出来る。また、原稿Ｓが長尺原稿である場合は、延長原稿トレイ１０２ｂを開くことによって原稿Ｓの後端部が原稿載置台１０２からはみ出して垂れ下がることを防止することができる。
【００２４】
密着型イメージセンサ１０８は、光源としてのＬＥＤアレイから原稿Ｓの画像情報面に光を照射し、画像情報面を反射した反射光をセルフォックレンズ（商標）でセンサ素子に結像し、画像情報を読取るものである。
【００２５】
カセット給紙部１１２は、装置本体１０１の底部に配設されている。給紙カセット１１２ａに積載されたシート材Ｐは、中板１１２ｅが、中板バネ１１２ｆによって上方に付勢され、半円状の給紙ローラ１１２ｂに圧接され、分離パッド１１２ｃによって１枚ずつ分離（摩擦片分離方式）、搬送される。この分離されたシート材Ｐは、所定時間後にレジストセンサ１２４ｂによって先端が検出される。給紙が開始されてから所定時間以内に、レジストセンサ１２４ｂがシート材Ｐの先端を検出しない場合は、ジャムと判断し、操作部１０５に表示を行うようになっている。
【００２６】
給紙が開始されてから所定時間以内にレジストセンサ１２４ｂがシート材Ｐの先端を検出した場合は、この分離されたシート材Ｐは、給紙ローラ１１２ｂと分離パッド１１２ｃとによって圧接搬送し続け、レジストローラ対１２４ａの圧接ニップ部Ｎに案内される。
【００２７】
レジストローラ対１２４ａは、上記のシート材Ｐの先端がレジストローラ対１２４ａの圧接ニップ部Ｎに到達した時点では、回転停止状態に制御され、シート材Ｐの先端がこの回転停止状態ルジストローラ対１２４ａの圧接ニップ部Ｎに突き当たって受け止められ、その後も給紙ローラ１１２ｂによるシート材給送がなされることによって、シート材Ｐにある程度のたわみループができ、そのたわみループの反力によって、シート材Ｐの先端辺が圧接ニップ部Ｎのニップ線にならって平行化することによって、シート材Ｐの斜行が補正される。
【００２８】
次いで、所定の制御タイミングによって、レジストローラ対１２４ａが駆動され、シート材Ｐが搬送され、レジストローラ対１２４ａ及びレジストセンサ１２４ｂが配置されているレジスト搬送ガイド１２４ｃと装置本体１０１の骨格をなす本体フレームの一部で構成されるシート搬送Ｕターンガイド１２４ｄ、装置本体１０１に配置されたＭＰガイド１２５ｇによって反転される。
【００２９】
さらに、給送中のシート材Ｐは、転写前ローラ対１２４ｅに到達後も搬送され続け、ＴＯＰセンサ１２４ｆによって先端位置を検知され、感光体ドラム１１１ａに形成されたトナー像の先端とシート材Ｐの先端とが一致するように給紙、画像出力タイミングを合わされた後に、転写帯電器１１１ｆと感光体ドラム１１１ａとの間に搬送される。
【００３０】
シート材Ｐは、シートサイズに合わせて移動可能に装着されたシート規制板１１２ｄによって、側端面を規制され、斜行や不送りが発生しないようになっている。画像は、給紙カセット１１２ａに積載されたシート材Ｐの下面側に記録される。
【００３１】
また、シート材Ｐの有無は、カセットセンサ１１２ｈによって検知される。カセット１１２ａにおけるシート積載可能枚数は、約２５０枚であり、装置本体１０１に対して前面方向に引き出されるように構成されている（フロントローディング方式）。また、積載可能なシートサイズは、Ａ３、Ａ４、Ａ５、Ｂ４、Ｂ５、レター、リーガルの７種類である。
【００３２】
また、本ファクシミリ装置は、装置本体１０１の前面に配置されたフロントカバー１２２を取り外して、ＭＰ（マルチペーパー）給紙部１２５を配置することが可能である。ＭＰ（マルチペーパー）給紙部１２５は、開閉可能なＭＰトレイ１２５ｆを配置し、ＭＰトレイ１２５ｆに積載しきれないサイズの記録紙は、ＭＰ延長トレイ１２５ｅを引き出すことによって、記録紙の後端がはみ出して垂れ下がることを防止している。
【００３３】
ＭＰ中板１２５ｃは、ＭＰ中板バネ１２５ｈによって、上方に付勢されているが、不図示のカムによって、待機状態ではＭＰ中板１２５ｃが押下げられているので、シート材Ｐは、ＭＰ中板１２５ｃに積載可能にされている。
【００３４】
ファクシミリ装置の制御部１２０からＭＰ給紙を開始するための信号が伝達されると、図示のカムが回動し、ＭＰ中板１２５ｃの押下げ解除によって積載されたシート材Ｐは、半円状のＭＰ給紙ローラ１２５ａに圧接され、ＭＰ分離パッド１２５ｂによって１枚ずつ分離（摩擦片分離方式）、搬送される。この分離されたシート材Ｐは、ＭＰ給紙ローラ１２５ａとＭＰ分離パッド１２５ｂとによって、圧接搬送し続け、転写前ローラ対１２４ｅに受け渡される。
【００３５】
給紙が開始されてから所定時間以内に、ＴＯＰセンサ１２４ｆがシート材Ｐの先端を検出しない場合は、ジャムが発生したと判断し、操作部１０５に表示を行う。
【００３６】
さらに、給途中のシート材Ｐは、転写前ローラ対１２４ｅに到達後も搬送され続け、ＴＯＰセンサ１２４ｆによって先端位置が検知され、感光体ドラム１１１ａに形成されたトナー像の先端とシート材Ｐの先端とが一致するように給紙、画像出力タイミングを合わされた後に、転写帯電器１１１ｆと感光体ドラム１１１ａとの間に搬送される。
【００３７】
ＭＰ給紙１２５は、レジスト機構がないので、シート材Ｐは、シートサイズに合わせて移動可能に装着されたシート規制板１２５ｉによって、側端面を規制され斜行や不送りが発生しない。画像は、ＭＰトレイ１２５ｆに積載されたシート材Ｐの上面側に記録される。
【００３８】
また、シート材Ｐの有無は、ＭＰセンサ１２５ｄによって検知される。ＭＰ給紙部１２５の積載可能枚数は、約１００枚であり、ＭＰ給紙部１２５を付けることによって、給紙可能なシートサイズにハガキや、名刺を加えることもできる。
【００３９】
また、カセット給紙部１１２と、図示されていないカセット給紙部１１２と同様の構成をもつ２段目カセット給紙部とは、それぞれオプションとして分離、結合が可能であり、装置全体のシート積載可能枚数は約２５０枚から約６００枚まで可変することができる。
【００４０】
記録装置本体１０４は、制御部１２０から出力される両像信号に基づいて、レーザースキャナ１１０のレーザービーム発振器１１０ａから変調信号を射出し、この変調ビームをポリゴンミラー１１０ｂによって、画像形成部１１１の感光体ドラム１１１ａに走査光を照射して、感光体ドラム１１１ａの表面に、画像情報を形成し、カセット給紙部１１２から画像形成部１１１に給送されたシート材Ｐに、画像情報を転写する。
【００４１】
感光体ドラム１１１ａは、１次帯電器１１１ｂと現像ローラ１１１ｃとクリーニングブレード１１１ｄと共に、記録カートリッジ１１１ｅ内に一体に組込まれ、装置本体１０１に対して、着脱自在に構成されている。そして、感光体ドラム１１１ａの表面は、１次帯電器１１１ｂによって均一に帯電され、表面にポリゴンミラー１１０ｂから走査光が折り返し、ミラー１１０ｃで反射して照射されると、潜像が形成され、潜像が現像ローラ１１１ｃから供給されるトナーによって顕像化される。
【００４２】
画像形成部１１１の感光体ドラム１１１ａの周辺部には、転写帯電器１１１ｆが配置され、また感光体ドラム１１１ａよりも下流側のシート搬送経路に、熱定着器１１１ｇが配置されている。
【００４３】
シート材Ｐは、転写帯電器１１１ｆによって感光体ドラム１１１ａ表面に形成されたトナー像が転写された後に、記録シート搬送部１２１に沿って搬送される。シート搬送ガイド１２１ａは、中央部に搬送ベルト１２１ｂ、１２１ｃをＶ字型に有し、感光ドラム１１１ａの下流から熱定着器１１１ｇまでのシート搬送を補助し、かつ、感光ドラム１１１ａと熱定着器１１１ｇとの搬送経路長よりも短いシート材Ｐもトナー画像を乱すことなく搬送可能である。
【００４４】
記録シート搬送部１２１に沿って搬送されたシート材Ｐは、熱定着器１１１ｇによってトナー像を定着され、両面搬送部１５０にシート材Ｐが搬送されない場合、小サイズ紙を搬送可能に配置された排紙中間ローラ１１１ｊに搬送される。
【００４５】
排紙中間ローラ１１１ｊに搬送されたシート材Ｐは、その後に配置された排紙フラッパ１２６によって、制御部１２０からの信号によって切り替え動作が行われ、装置本体１０１の上部に配置された上部シート排紙部１１３と、装置本体１０１後部に配置された後部シート排紙トレイ１２８とに選択的に排紙される。
【００４６】
このように、上部シート排紙部１１３に排紙されたシート材Ｐは、画像情報を下面にして積載され、後部シート排紙トレイ１２８に排紙されたシート材Ｐは、画像情報を上面にして積載されるように構成されている。
【００４７】
装置本体１０１には、カートリッジカバー１１４が開閉可能に設けられ、カートリッジカバー１１４を開くことによって、記録カートリッジ１１１ｅを装置本体１０１の外に引出して交換できるようになっている。また、カートリッジカバー１１４には、インターロック機構が備わり、カートリッジカバー１１４が開いているか、記録カートリッジ１１１ｅが、装置本体１０１にセットされていない場合は、記録装置本体１０４が動作しないようになっている。また、記録カートリッジ１１１ｅに設けたドラム感光防止シャッター１１１ｉは、記録カートリッジ１１１ｅの装置本体１０１へのセットと連動するようになっており、カートリッジカバー１１４を開いて記録カートリッジ１１１ｅの装置本体１０１へセットした時に、シャッター１１１ｉが開き、記録カートリッジ１１１ｅを装置本体１０１から取り出した時に、シャッター１１１ｉが閉じることによって、感光体ドラム１１１ａの不必要な感光を防止するようにしている。
【００４８】
また、記録中にジャムが発生した場合、カートリッジカバー１１４、フロントカバー１２２、排紙カバー１２３のいずれかを開けることによって、内部に滞留しているシート材Ｐを取り出すことができる。
【００４９】
仕切部１１９は、レーザスキャナ１１０と記録装置本体１０４とを分離するダクトであり、ここに、図示しないファンにより空気を流すことによって、記録装置本体１０４から発生した熱によるレーザスキャナ１１０への悪影響を受けたり、シート材Ｐから蒸散した水蒸気が結露し、シート材Ｐ上に滴下することを防いでいる。
【００５０】
両面搬送部１５０は、装置本体１０１の後部に配置された熱定着器１１１ｇを、搬送されたシート材Ｐを制御部１２０から出力される画像信号に基づいて、フラッパ１５１を切り換えることによって、両面搬送部１５０にシート材Ｐを搬送することができる。フラッパ１５１を切り換え、両面搬送部１５０に搬送されたシート材Ｐは、カール取りローラ対１５２によって、熱定着器１１１ｇにより熱及び圧力が加えられ、カールが生じているシート材Ｐのカールが補正され、次段の搬送手段であるスイッチバックローラ１５３に搬送される。スイッチバックローラ１５３に搬送されたシート材Ｐは、給紙カセット１１２ａの上部に配置されたカバー１１２ｇ上に一旦、搬送され、装置本体１０１の下部に収納される。
【００５１】
その後、シート材Ｐの後端が、スイッチバックローラ１５３近辺に搬送されると、不図示のセンサによってシート材Ｐの後端が検知され、シート材Ｐがスイッチバックローラ１５３を抜け出る前に、搬送が一旦停止する。そして、スイッチバックローラ１５３が逆転し、両面搬送部１５０の後部下側に配置された再給紙部１５４に搬送される。
【００５２】
再給紙部１５４に搬送されたシート材Ｐは、再給紙部１５４に配置された複数のローラによって、斜行が補正された後、再給紙ローラ１５５に到達し、シート材Ｐは、給紙カセット１１２ａの内部を通り、装置本体１０１に再び搬送される。
【００５３】
図４は、本発明におけるＬＢＰを使用したファクシミリ装置における制御系３００を示すブロック図である。
【００５４】
制御系３００は、ファクシミリ装置全体を制御するＣＰＵ３０１と、ＭＰＵ３１１と、ＭＰＵ３１１の制御プログラム等を格納するＲＯＭ３１２と、各種データ処理のワークエリアや画像情報の一時的記憶部として使用されるＲＡＭ３１３と、画像の変倍、解像度変換等を行う画像処理部３１４とによって構成されている。
【００５５】
また、ＣＰＵ３０１には、公知の構成からなるカレンダ、時計機能等が備えられ、ＲＡＭ３１３のうちで、ワンタッチキー宛先情報、ソフトウェアスイッチ情報等の重要なシステム設定情報を格納する領域は、バッテリバックアップによって停電等の不慮の障害から保護されている。ファクシミリ装置の制御系は、上記のＣＰＵ３０１と以下の各要素３０２〜３１０とを、インタフェースを通じて結合した構成をとるものである。
【００５６】
操作部３０２は、テンキー３１５、ファンクションキー３１６、ワンタッチキー３１７、スタートキー３１８ａ、ストンプキー３１８ｂ等の各種キースイッチ等によって構成されている。表示部３０３は各種メッセージの表示を行うＬＣＤ３１９、送信モード等の表示を行う各種ＬＥＤ３２０ａ、通信状態や、障害発生を遠方の操作者に知らせるタリーランプ３２０ｂ等によって構成されている。
【００５７】
読取部３０４は、読取モータ等の駆動部３２１と、画像の読取を行う読取センサ３２２と、読取った画像のシェーディングや２値化を行う画像処理部３２３と、原稿検知等を行う各種センサ３２４とを有する。
【００５８】
記録部３０５は、記録モータ等の駆動部３２５と、レーザスキャナや電子写真プロセスの制御等を行う記録ユニット３２６と、記録する画像のスムージング等を行う画像処理部３２７と、記録紙等の検知を行う各種センサ３２８とを有する。
【００５９】
発呼、着呼、画像データの符号化等を行う通信制御部３０６は、ＭＯＤＥＭ、ＮＣＵ等によって構成されている接続部３２９を持ち、接続部３２９には、通信網３０７、ハンドセット３０８が接続されている。
【００６０】
ＣＰＵ外部インタフェース３０９は、ＣＰＵ３０１から直接データの送受信を行うインタフェースであり、たとえばＲＳ２３２Ｃ、ＳＣＳＩ、ＬＡＮ等の回線を通じて装置外部のコンピュータと接続することによって、装置を外部のコンピュータのスキャナプリンタ等として使用する。ＨＤＤ３１０は、大容量の不揮発性メモリとして画像情報等の保存に使用される。
【００６１】
ＣＰＵ３３０は、外部インタフェース３０９を介して接続されている外部のコンピュータによって、装置本体をプリンタとして使用する際に、記録装置本体１０４を制御するＣＰＵであり、ＭＰＵ３３１、ＭＰＵ３３１の制御プログラムまたは文字のフォント等を格納するＲＯＭ３３２と、各種データ処理のワークエリアや画像情報の一時的記憶部として使用されるＲＡＭ３３３と、画像の変倍、解像度変換等を行う画像処理部３３４とによって構成されている。
【００６２】
次に、ＬＢＰの基本動作を概念的に説明する。
【００６３】
図５は、ＬＢＰの基本動作を示す概念図である。
【００６４】
ＬＢＰは、記録する画像データに対してレーザ光を点滅する半導体レーザ４００と、ポリゴンモータ４０１と、ポリゴンモータ４０１によって回転するポリゴンミラー４０２と、結像、倒れ補正等を行う光学系４０３と、フォトディテクタ４０４と、折り返しミラー４０５と、感光ドラム４０６と、現像器４０７と、記録紙４０８と、搬送ガイド４０９と、定着器４１０とを有する。
【００６５】
次に、上記実施例の動作について説明する。
【００６６】
まず、半導体レーザ４００から発射されたレーザ光は、ポリゴンミラー４０２に反射することによって偏向され、光学系４０３、折り返しミラー４０５を介して、感光ドラム４０６上に照射される（主走査）。
【００６７】
このときに、フォトディテクタ４０４によって頭出しされ、照射位置を決定する。この主走査が１ライン分終了する間に、感光ドラム４０６は、１ライン分回転する（副走査）。上記のようにして、感光ドラム４０６上に結像された画像は、現像器４０７によって現像され、記録紙Ｐ（４０８）上に転写される。さらに、搬送ガイド４０９に沿って搬送され、定着器４１０で定着され、排出される。
【００６８】
なお、上記感光ドラム４０６、現像器４０７、定着器４１０等の副走査系の要素は、図示しない記録モータ、ギア、ベルト等によって、同期して駆動されている。
【００６９】
次に、画像形成時の制御について、詳細に説明する。
【００７０】
図１は、上記実施例における記録時のフローチャートである。
【００７１】
まず、印字信号がＣＰＵ３０１に伝達されると、それが外部インターフェイス３０９からのものであるのか、通信制御部３０６からのものであるのかが判断され、つまり、ＦＡＸ受信であるか否かが判断される（Ｓ１）。外部インターフェイス３０９からの印字信号であると、ＣＰＵ３０１が判断した場合には、ステップＳ２に進み、受信原稿が複数枚であるか否かかが判断される。また、印字信号が通信制御部３０６からのものであると、ＣＰＵ３０１によって判断された場合はステップＳ１２に進む。
【００７２】
受信原稿が複数枚あり、ステップＳ３に進んだ場合、ユーザ設定によって、画像形成モードが両面印字モードにされているか否かが判定され、両面印字モードであれば、ステップＳ４に進み、そうでない場合は、ステップＳ１２に進む。
【００７３】
ステップＳ４に進んだ場合、両面記録モードに装置が設定され、画像情報が１ページ分ＲＡＭ３１３に蓄積されると（Ｓ５）、記録モータが駆動され、フォーマッタＣＰＵ３３０から記録紙の給紙を行うための信号が、記録部３０５に伝達され、シート材Ｐが、シート材給送部１１２から搬送される。搬送されたシート材Ｐは、記録部３０５の画像処理部３２７によって、シート材Ｐの先端と画像が一致するように搬送制御される。
【００７４】
フォーマッタＣＰＵ３３０のＲＡＭ３３３部に蓄積された画像情報が、記録部３０５の画像処理部３２７に伝達され、その信号に基づいて、レーザのＯＮ／ＯＦＦを制御することによって、ドット・パターンの画像が感光ドラム１１１ａ上に形成される（Ｓ６）。感光ドラム１１１ａ上に形成された静電潜像は、記録部３０５の画像処理部３２７で、トナーによって可視画像となる。感光ドラム１１１ａ上に形成された可視画像は、シート材Ｐに転写され、シート材Ｐに載っているだけの画像は、搬送部１２１によってシート材Ｐにショックを与えないように定着部１１１ｇに搬送され、定着部１１１ｇによって熱及び圧力が加えられ、永久画像とされる。
【００７５】
１面目を印字後に、ステップＳ７に進み、フォーマッタＣＰＵ３３０からの信号によって、図２において、半時計方向に回動したフラッパ１５１によって、表面に画像情報が記録されたシート材Ｐは、両面搬送部１５０に搬送される。
【００７６】
そして、ステップＳ８に進み、次ページの画像情報が、ＲＡＭ３３３に蓄積される。ただし、１ページ目と異なる点は、シート材Ｐは、両面搬送部でスイッチバックしてから、シート材Ｐが反転されるので、１面目と２面目とではシート材Ｐの先端が逆転する点である。つまり、２面目の先端は、１面目の後端であるので、そのまま画像情報を印字すると、表裏で画像データが逆転する。このために、ステップ８では、ＲＡＭ３３３に蓄積されている画像データを、フォーマッタＣＰＵ３３０内の画像処理部３３４で反転させる。
【００７７】
次ページの画像情報をＲＡＭ３３３に蓄積する動作と平行して、両面搬送部１５０に搬送されたシート材Ｐは、カール取りローラ対１５２によって、定着部１１１ｇにより熱及び圧力が加えられ、カールが生じているシート材Ｐのカールが補正され、次段の搬送手段である両スイッチバックローラ１５３に搬送される。スイッチバックローラ１５３に搬送されたシート材Ｐは、給紙カセット１１２ａの上部に配置されたカバー１１２ｇ上に一旦、搬送され、装置本体１０１の下部に収納される。
【００７８】
その後、シート材Ｐの後端がスイッチバックローラ１５３近辺に搬送されると、不図示のセンサがシート材Ｐの後端を検知し、シート材Ｐがスイッチバックローラ１５３を抜け出る前に、搬送が一旦停止する。そして、フォーマッタＣＰＵ３３０の信号によって、スイッチバックローラ１５３が逆転（図２反時計方向に回転）し、両両面搬送部１５０の後部下側に配置された再給紙部１５４に搬送される。
【００７９】
再給紙部１５４に搬送されたシート材Ｐは、再給紙部１５４に配置された複数のローラによって、斜行が補正された後に、再給紙ローラ１５５に到達し、シート材Ｐは、給紙カセット１１２ａの内部をとおり、装置本体１０１に再び搬送される。
【００８０】
再給紙ローラ１５５に到達したシート材Ｐは、給紙カセット１１２ａの内部を通り、レジストローラ対１２４ａに再び搬送される。レジストローラ対１２４ａによって斜行が補正されたシート材Ｐは、レジストローラ１２４ａとレジストセンサ１２４ｂとが配置されているレジスト搬送ガイド１２４ｃと、装置本体１０１の骨格をなす本体フレームの一部とで構成されているシート搬送Ｕターンガイド１２４ｄ、装置本体１０１に配置されたＭＰガイド１２４ｇによって反転される。
【００８１】
ここで、フォーマッタＣＰＵ３３０のＲＡＭ３３３部に蓄積され、反転された画像情報が、記録部３０５の画像処理部３２７に伝達され、この信号に基づいて、レーザのＯＮ／ＯＦＦを制御することによって、ドット・パターンの画像が、感光ドラム１１１ａ上に形成される（Ｓ１０）。
【００８２】
感光ドラム１１１ａ上に形成された静電潜像は、記録部３０５の画像処理部３２７で、トナーによって可視画像となる。感光ドラム１１１ａ上に形成された可視画像は、ＴＯＰセンサ１２４ｆによってシート材Ｐの先端位置が検知され、感光体ドラム１１１ａに形成されたトナー像の先端とシート材Ｐの先端とが一致するように、画像出力タイミングを合わされた後に、２面目の反転された画像情報が転写され、シート材Ｐに載っているだけの画像は、搬送部１２１によってシート材Ｐにショックを与えないように、定着部１１１ｇに搬送され、定着部１１１ｇによって熱及び圧力が加えられ、永久画像とされる。
【００８３】
その後、小サイズ紙を搬送可能に配置された排紙中間ローラ１１１ｊによって、排紙ローラ１１１ｈに搬送され、シート排紙部１１３に排紙される。
【００８４】
次に、次ページがあるか否かが判別され（Ｓ１１）、次ページがある場合は、ステップＳ５に進み、再び画像情報がＲＡＭ３３３に蓄積され、次ページがない場合は、印字が終了される。
【００８５】
片面印字モードである場合（Ｓ３）、片面記録モードに装置が設定され（Ｓ１２）、これ以降は、フォーマッタＣＰＵ３３０によって制御される。また、ステップＳ１、Ｓ２、Ｓ３によって片面記録モードに設定された場合は、ステップＳ１２において、本体装置を制御するＣＰＵ３０１によって信号が伝達され、上記のように画像情報は、ＲＡＭ３１３に蓄積される。その後、画像情報を記録部の画像処理部に伝達し、その信号に基づいて、レーザのＯＮ／ＯＦＦを制御することによって、画像データが感光ドラム上に形成される（Ｓ１４）。
【００８６】
その後、定着部によって熱及び圧力が加えられ、永久画像とされたシート材Ｐは、シート排紙部に排紙される。
【００８７】
次に、次ページがあるか否かが判別され（Ｓ１５）、次ページがある場合は、画像情報がＲＡＭ３１３に再び蓄積される（Ｓ１３）。次ページがない場合は、印字が終了される。
【００８８】
上記実施例によれば、装置本体が両面画像形成モードに指定されていても、ＦＡＸ機能使用時には、両面画像形成を行わないようにすることによって、ＦＡＸ機能使用時のＣＰＵの負荷を低減させることができ、ＦＡＸ機能をスムースに使用することができ、プリンタ機能使用時には、パソコンの高速ＣＰＵまたはフォーマッタの高速ＣＰＵを使用することによって、両面記録時の２面目の画像データを反転させ、両面を記録することができ、また、両面記録のスピードが向上される。
【００８９】
また、上記実施例によれば、画像形成装置のＣＰＵとして、高速ＣＰＵではなく、低価格・低速ＣＰＵを使用することによって、画像形成装置が低価格になる。
【００９０】
上記実施例は、外部インターフェイス３０９からの印字信号の場合は、フォーマッタＣＰＵ３３０によって画像データの反転を行う例であるが、上記実施例において、外部インターフェイス３０９に接続されているパソコンによって、画像データを反転するようにしてもよい。
【００９１】
つまり、上記実施例によれば、コピー機能、ＦＡＸ機能、プリンタ機能等の複合機能を備え、画像情報が記載された原稿を読み取る画像読取装置と、画像情報をシート材の片面のみに画像を形成する片面画像形成モードと上記シート材の裏面にも画像を形成する両面画像形成モードとの両モードで操作可能な画像形成装置を持ち、上記画像形成装置は、片面画像形成モードと両面画像形成モードとを選択可能であり、上記画像形成装置が両面画像形成モードに選択されていた場合でも、ＦＡＸ受信原稿は、片面画像形成モードで印字するものである。
【００９２】
また、コピー機能、ＦＡＸ機能、プリンタ機能等の複合機能を備え、画像情報の記載された原稿を読み取る画像読取装置と、画像情報をシート材の片面のみに画像を形成する片面画像形成モードと、上記シート材の裏面にも画像を形成する両面画像形成モードとの両モードで操作可能な画像形成装置を持ち、片面画像形成モードと両面画像形成モードとのうちの１つを選択可能であり、プリンタ機能使用時にのみ、両面画像形成モードで印字するように構成されている。
【００９３】
したがって、上記実施例によれば、ＦＡＸ機能使用時におけるＣＰＵの負荷を低減させることができ、ＦＡＸ機能をスムースに使用することができ、プリンタ機能使用時には、パソコンの高速ＣＰＵまたはフォーマッタの高速ＣＰＵを使用することによって、両面記録時の２面目の画像データを反転させて、両面記録可能とし、また両面記録のスピードを向上させることができる。
【００９４】
また、画像形成装置のＣＰＵを高速ＣＰＵではなく、低価格・低速ＣＰＵを使用することによって、画像形成装置が低価格になる。
【００９５】
【発明の効果】
本発明によれば、ＦＡＸ機能使用時に、ＣＰＵの負荷を低減させることができ、プリンタ機能使用時に、パソコンの高速ＣＰＵまたはフォーマッタの高速ＣＰＵを使用することによって両面記録時の２面目の画像データを反転させて、両面記録が可能になり、また両面記録のスピードを向上させることができるという効果を奏する。
【図面の簡単な説明】
【図１】本発明の一実施例における記録時のフローチャートである。
【図２】本発明の一実施例であるファクシミリ装置ＦＳ１の断面図である。
【図３】ファクシミリ装置ＦＳ１の斜視図である。
【図４】本発明におけるＬＢＰを使用したファクシミリ装置における制御系３００を示すブロック図である。
【図５】ＬＢＰの基本動作を示す概念図である。
【図６】電子写真装置を用いた従来の画像形成装置において、原稿を受信する際に印字する動作と、プリンタとして印字する動作を示すフローチャートである。
【符号の説明】
ＦＳ１…ファクシミリ装置、
Ｐ…シート材、
１０１…装置本体、
１１２ａ…給紙カセット、
１５０…両面搬送部、
３０１…ＣＰＵ、
３０５…記録部、
３１３、３３３…ＲＡＭ、
３２７、３３４…画像処理部。
【図１】
0004333978.tif 000002
【図２】
0004333978.tif 000003
【図３】
0004333978.tif 000004
【図４】
0004333978.tif 000005
【図５】
0004333978.tif 000006
【図６】
0004333978.tif 000007